(57)【要約】【課題】太陽電池アレイから接続箱の間のケーブルの本数、及び、接続箱の直流入力回路数を減らすことで部品点数を減らして、コストを削減すると共に、配線作業、接続箱への結線作業の負担を低減して、施工時の作業性を向上させる。【解決手段】複数の太陽電池モジュールに接続され、当該太陽電池モジュールからの出力を導出するためのケーブルを電気的に並列接続するケーブルであって、一の上記太陽電池モジュールからの出力を導出するケーブルと結合される第１コネクタと、他の上記太陽電池モジュールからの出力を導出するケーブルと結合される第２コネクタと、上記第１コネクタを介して出力を導く第１支線ケーブルと、上記第２コネクタを介して出力を導く第２支線ケーブルと、パワーコンディショナに結合し、上記第１支線ケーブルと上記第２支線ケーブルとを介して、上記太陽電池モジュールからの出力を出力する出力コネクタとを有する集電ケーブル。【選択図】図２
2008166492.tif 000002
【特許請求の範囲】
【請求項１】
複数の太陽電池モジュールを電気的に並列接続するケーブルであって、
一端に入力コネクタが取り付けられた複数の支線ケーブルと、
一端に出力コネクタが取り付けられ、他端において上記複数の支線ケーブルに分岐する幹線ケーブルと、を有し、
上記入力コネクタは、上記太陽電池モジュールの正極又は負極いずれかの出力端に接続し、
上記出力コネクタは、上記太陽電池モジュールからの出力を外部に出力する、
ことを特徴とする集電ケーブル。
【請求項２】
上記支線ケーブルは、互いに、上記太陽電池モジュールの出力端間の距離に相当する長さが異なる、
請求項１記載の集電ケーブル。
【発明の詳細な説明】
【技術分野】
【０００１】
本発明は、住宅用をはじめとする太陽光発電システムの直流部を配線する技術に関する。
【背景技術】
【０００２】
太陽電池モジュールによる発電出力は直流なので、交流機器類に利用するためには、太陽電池モジュールからの直流出力を集めてパワーコンディショナにて交流に変換する必要がある。この場合に、太陽電池モジュールの出力電圧とパワーコンディショナの入力電圧は必ずしも一致しないので、太陽電池モジュール側の出力電圧をパワーコンディショナの入力電圧まで高める必要がある。
【０００３】
例えば、太陽電池モジュールの出力電圧が４０Ｖで、パワーコンディショナの入力電圧が２００Ｖである場合には、２００Ｖになるように当該太陽電池モジュール５枚を直列に接続した太陽電池モジュールストリングスを形成し、それぞれの太陽電池モジュールを接続箱内で並列に接続し、これをパワーコンディショナの入力側に繋ぎ込む。
【０００４】
しかしながら、従来の太陽光発電システムにおいては、各太陽電池モジュールから接続箱までの間にケーブルが太陽電池モジュールごとに必要となり、多数のケーブルが接続箱に集合するので、配線の取り回しが難しかった。
特に、ＣＩＳ太陽電池モジュール等のように、高電圧低電流の太陽電池モジュールをアレイに組む場合には、太陽電池モジュールの並列数が増加し、接続箱に繋ぎ込まれるケーブルの本数が膨大な数に及ぶので、配線の取り回しが非常に困難であった。
【０００５】
この点、複数の太陽電池モジュール又は複数の太陽電池モジュールストリングスの出力を取り出す配線部材の使用量を削減できるとともに、施工が簡単で、誤配線の可能性を低くできる太陽電池発電装置用配線器具として、幹線ケーブルと、このケーブルの中間部分の複数個所に設けた分岐接続部に夫々分岐接続された複数の支線ケーブルとを具備し、互いに並べて設置された複数の太陽電池モジュールがユニットにされかつ互いに並べて設置された複数の太陽電池モジュールユニットの夫々の出力をケーブルが有した幹線ケーブルで導き、幹線ケーブルに接続される支線ケーブルを有した各ケーブルの先端部を、複数の前記ユニットの出力端に接続し、この配線器具により各ユニット同士を並列に接続して、出力を屋内に引き込むことを特徴とするものが提案されている（特許文献１参照）。
【０００６】
【特許文献１】特許第３４６９８０７
【発明の開示】
【発明が解決しようとする課題】
【０００７】
しかしながら、上記特許文献１記載の技術においては、複数の支線ケーブルはいずれも同じ長さのものであるから、太陽電池モジュールと接続した場合に、太陽電池モジュールの配置により支線ケーブルにたわみが出てしまうこととなる結果、結線作業において邪魔になるという問題がある。
【０００８】
そこで、本発明は、太陽電池アレイから接続箱の間のケーブルの本数、及び、接続箱の直流入力回路数を減らすことで、システム全体の部品点数を減らし、部材調達コストを削減すると共に、配線作業、接続箱への結線作業の負担を低減して、施工時の作業性を向上させることを目的とする。
【課題を解決するための手段】
【０００９】
上記目的を達成するため、本発明に係る集電ケーブルは、複数の太陽電池モジュールを電気的に並列接続するケーブルであって、一端に入力コネクタが取り付けられた複数の支線ケーブルと、一端に出力コネクタが取り付けられ、他端において上記複数の支線ケーブルに分岐する幹線ケーブルと、を有し、上記入力コネクタは、上記太陽電池モジュールの正極又は負極いずれかの出力端に接続し、上記出力コネクタは、上記太陽電池モジュールからの出力を外部に出力することを特徴とする。
【００１０】
また、上記支線ケーブルは、互いに、上記太陽電池モジュールの出力端間の距離に相当する長さが異なるものとしてもよい。
【発明の効果】
【００１１】
本発明によれば、複数の太陽電池モジュールから導出されるケーブルが、当該太陽電池モジュールに近い位置で集約されるため、配線の取り回しが容易になる。
また、太陽電池アレイ全体の美観を損ねることなく、施工時の作業安全性を確保した上で配線ケーブル数を減らすことができるので、作業工数を減らして作業時間を短縮できるとともに、施工ミスによる事故や不具合を防ぐことができる上、コストも削減できる。
【発明を実施するための最良の形態】
【００１２】
次に、本発明の第一の実施形態について図を参照して説明する。
図１は、太陽光発電システム全体の概略を示す図である。
家屋等の建物の屋根上には太陽電池アレイ１が設置され、太陽電池アレイ１で発電された電力は、集電ケーブル２、接続箱３、パワーコンディショナ４、分電盤５、及び配線６を介して、負荷７に供給される。
太陽電池アレイ１は、複数の太陽電池モジュール１０１〜１８０をアレイ状に配置したものであり、８枚直列に接続された太陽電池モジュール１０１〜１１０、１１１〜１２０、１２１〜１３０、１３１〜１４０、１４１〜１５０、１５１〜１６０、１６１〜１７０、１７１〜１８０夫々を１回路として、１０回路が並列に接続されている。なお、本実施例においては、太陽電池モジュール１０１〜１８０はＣＩＳ太陽電池により構成され、最大出力動作電圧は４０Ｖ、最大出力動作電流は２．０Ａであり、最大出力は８０Ｗである。
【００１３】
接続箱３は、各集電ケーブル２を集約する。接続箱３において、各集電ケーブル２は並列に接続され、配線６を経由してパワーコンディショナ４の入力端子に接続される。
【００１４】
パワーコンディショナ４は、太陽電池アレイ１から出力され、集電ケーブル２、接続箱３、及び配線６を経由して送電された直流電力を交流電力に変換する。
【００１５】
分電盤５は、パワーコンディショナ４から配線６を介して給電された電力を屋内に分岐させるものであり、当該電力を配電する分岐回路のほか、漏電が発生すると、自動的に電気を遮断する漏電遮断機や、電気の契約容量や電線の許容電流を超えた電気が流れたときに作動する配線用遮断機等が納まっている。
【００１６】
負荷７は、パワーコンディショナ４及び配線６を介して給電された電力を消費する、テレビ、エアーコンディショナ、冷蔵庫等の家庭用交流機器や、商用系統、ないしはこれらの組合せである。
【００１７】
集電ケーブル２は、太陽電池アレイ１より出力される電力を接続箱３へ導出するためのケーブルである。
この集電ケーブル２は、図２に示すように、正極用集電ケーブル２ａ（図２（ａ））と負極用集電ケーブル２ｂ（図２（ｂ））とがある。
集電ケーブル２ａは、接続箱３の入力端子に接続されるコネクタが先端に接続された幹線ケーブル２１が、分岐部２２において２本の支線ケーブル２３、２５に分岐し、夫々その先端に分岐コネクタ２４、２６が接続された構造を有しており、分岐部２２において、幹線ケーブル２１と、支線ケーブル２３、２５とは電気的に接続している。
また、集電ケーブル２ｂも同様に、接続箱３の入力端子に接続されるコネクタが先端に接続された幹線ケーブル３１が、分岐部３２において２本の支線ケーブル３３、３５に分岐し、夫々その先端に分岐コネクタ３４、３６が接続された構造を有しており、分岐部３２において、幹線ケーブル３１と、支線ケーブル３３、３５とは電気的に接続している。
なお、集電ケーブル２ａと集電ケーブル２ｂとは、互いに異なる被覆色とするとよい。これにより、正極、負極を混同した誤接続を防止することができる。
【００１８】
幹線ケーブル２１、３１、及び支線ケーブル２３、２５、３３、３５は、配電用ケーブル、例えばＣＶ（架橋ポリエチレン絶縁・ビニルシース）ケーブル、ＣＥ（架橋ポリエチレン絶縁・ポリエチレンシース）ケーブル、ビニル絶縁ビニルシースケーブル、ＶＣＴ（ビニル絶縁キャブタイヤ）ケーブルを用いることができる。
分岐コネクタ２４、２６、３４、３６は、合成樹脂絶縁材料からなる被覆部材に覆われている。
分岐部２２、３２、分岐コネクタ２４、２６、３４、３６の外装部材には、保護シースと同様の電気絶縁材料を用いることができる。
【００１９】
支線ケーブル２３、３３は、夫々支線ケーブル２５、３５より長く、その差は、縦方向に隣接する太陽電池モジュール１０１〜１８０の端子箱間の距離に相当する。
【００２０】
また、分岐コネクタ２４、２６は、内周面に凹凸を有した接続穴の中央部にプラグ状の雄型接続端子を有した雄型構造からなる。
他方、分岐コネクタ３４、３６は、外周面に凹凸を有した挿入部の中央部にレセプタクル状の雌型接続端子を有した雌型構造からなる。
なお、本例においては、正極用コネクタが雄型構造を、負極用コネクタはが雌型構造をとっているが、正極用コネクタが雌型構造を、負極用コネクタが雄型構造をとってもよい。
【００２１】
図３は、太陽電池モジュール１０１〜１８０及び集電ケーブル２の電気的接続を示す結線図であり、図４は、その一部を拡大した図である。なお、図３（ａ）及び図４（ａ）は左側端部を、図３（ｂ）及び図４（ｂ）は右側端部を示す。
各太陽電池モジュール１０１〜１８０は、夫々の裏面に取り付けられた端子箱１０１ａ〜１８０ａから引き出された２本の単芯の引き出し線とその先端に接続されたコネクタ１０１ｂ〜１８０ｂないしはコネクタ１０１ｃ〜１８０ｃとからなる出力端を有しており、当該出力端からは太陽光により発生した電力が出力され、当該出力端の一方は正極用、他方は負極用である。
【００２２】
また、太陽電池モジュール１０１〜１８０は、夫々が隣接する太陽電池モジュール１０１〜１８０と直列に接続している。
即ち、図４（ａ）において、太陽電池モジュール１０９、１１９を例にとると、太陽電池モジュール１０９の端子箱１０９ａから導出される出力ケーブルの雄型コネクタ１０９ｃと、対応する太陽電池モジュール１１９の端子箱１１９ａから導出される出力ケーブルの雌型コネクタ１１９ｂとが雌雄嵌合により直列に接続している。
【００２３】
また、太陽電池モジュール１０１〜１８０が形成する太陽電池アレイ１の左側端部に位置する太陽電池モジュール１０１、１０３、１０５、１０７、１０９のコネクタ１０１ｂ、１０３ｂ、１０５ｂ、１０７ｂ、１０９ｂは、集電ケーブル２ａの分岐コネクタ２４と、また、太陽電池モジュール１０２、１０４、１０６、１０８、１１０のコネクタ１０２ｂ、１０４ｂ、１０６ｂ、１０８ｂ、１１０ｂは、集電ケーブル２ａの分岐コネクタ２６と接続している。
同様にして、太陽電池アレイ１の右側端部に位置する太陽電池モジュール１７１、１７３、１７５、１７７、１７９のコネクタ１７１ｃ、１７３ｃ、１７５ｃ、１７７ｃ、１７９ｃは、集電ケーブル２ｂの分岐コネクタ３４と、太陽電池モジュール１７２、１７４、１７６、１７８、１８０のコネクタ１７２ｃ、１７４ｃ、１７６ｃ、１７８ｃ、１８０ｃは、集電ケーブル２ｂの分岐コネクタ３６と接続している。
【００２４】
以上のように結線された太陽電池アレイ１及び集電ケーブル２において、太陽電池ユニット１が太陽光を受けて発生した電力は、端子箱１０１ａ〜１８０ａから集電ケーブル２、接続箱３を介してパワーコンディショナ４に給電され、当該給電された電力は分電盤５を経て、負荷７へと給電される。
【００２５】
以上により、太陽電池モジュール２枚を並列に接続するのに１つの集電ケーブルで済むことから、太陽電池モジュール１枚に対して一つの集電ケーブルを用いる場合と比べて、接続箱の直流入力回路数を半分に減らすことができるので、システム全体の部品点数を減らして、コスト削減を図ることができると共に、配線作業、接続箱への結線作業の負担を低減して、施工時の作業性を向上させることができる。
【００２６】
次に、本発明の第二の実施形態に係る集電ケーブル２について、図５及び図６を参照して説明する。
本実施形態において、集電ケーブル２は支線ケーブルを３本有している。
一方、図５に示すように、本例における集電ケーブル２も、上記第一の実施形態に係る集電ケーブル２と同様、正極用集電ケーブル２ｃ（図５（ａ））、負極用集電ケーブル２ｄ（図５（ｂ））とがある。
【００２７】
集電ケーブル２ｃは、接続箱３の入力端子に接続されるコネクタが先端に接続された幹線ケーブル４１が、分岐部４２において３本の支線ケーブル４３、４５、４７に分岐し、夫々その先端に分岐コネクタ４４、４６、４８が接続された構造を有しており、分岐部４２において、幹線ケーブル４１と、支線ケーブル４３、４５、４７とは電気的に接続している。
【００２８】
また、集電ケーブル２ｄも同様に、接続箱３の入力端子に接続されるコネクタが先端に接続された幹線ケーブル５１が、分岐部５２において３本の支線ケーブル５３、５５、５７に分岐し、夫々その先端に分岐コネクタ５４、５６、５８が接続された構造を有しており、分岐部５２において、幹線ケーブル５１と、支線ケーブル５３、５５、５７とは電気的に接続している。
【００２９】
なお、幹線ケーブル４１、５１、分岐部４２、５２、支線ケーブル４３、４５、４７、５４、５６、５８、分岐コネクタ４４、４６、４８の材質等は、上記第一の実施形態と同様の構成とすることができる。
また、分岐コネクタ４４、４６、４８は、内周面に凹凸を有した接続穴の中央部にプラグ状の雄型接続端子を有した雄型構造からなる。
他方、分岐コネクタ５４、５６、５８は、外周面に凹凸を有した挿入部の中央部にレセプタクル状の雌型接続端子を有した雌型構造からなる。
なお、本例においては、正極用コネクタが雄型構造を、負極用コネクタはが雌型構造をとっているが、正極用コネクタが雌型構造を、負極用コネクタが雄型構造をとってもよいのは上記第一の実施形態と同様である。
【００３０】
支線ケーブル４３、５３は、夫々支線ケーブル４５、５５より長く、また、支線ケーブル４５、５５は、夫々支線ケーブル４７、５７より長く、夫々の差は、縦方向に隣接する太陽電池モジュール１０１〜１８０の端子箱間の距離に相当する。
【００３１】
図６は、太陽電池モジュール１０１〜１８０及び集電ケーブルの電気的接続を示す結線図の一部拡大図である。なお、図６（ａ）は左側端部を、図６（ｂ）は右側端部を示す。
上記第一の実施形態と同様に、太陽電池モジュール１０１〜１８０は、夫々が隣接する太陽電池モジュール１０１〜１８０と直列に接続している。
【００３２】
また、太陽電池モジュール１０１〜１８０が形成する太陽電池アレイ１の左側端部に位置する太陽電池モジュール１０５、１０８のコネクタ１０５ｂ、１０８ｂは、集電ケーブル２ｃの分岐コネクタ４４と、太陽電池モジュール１０６、１０９のコネクタ１０６ｂ、１０９ｂは、集電ケーブル２ｃの分岐コネクタ４６と、また、太陽電池モジュール１０７、１１０のコネクタ１０７ｂ、１１０ｂは、集電ケーブル２ｃの分岐コネクタ４８と接続している。
同様にして、太陽電池アレイ１の右側端部に位置する太陽電池モジュール１７５、１７８のコネクタ１７５ｃ、１７８ｃは、集電ケーブル２ｄの分岐コネクタ５４と、太陽電池モジュール１７６、１７９のコネクタ１７６ｃ、１７９ｃは、集電ケーブル２ｄの分岐コネクタ５６と、また、太陽電池モジュール１７７、１８０のコネクタ１７７ｃ、１８０ｃは、集電ケーブル２ｄの分岐コネクタ５８と接続している。
【００３３】
また、太陽電池アレイ１の左側端部に位置する太陽電池モジュール１０１、１０３のコネクタ１０１ｂ、１０３ｂは、集電ケーブル２ａの分岐コネクタ２４と、また、太陽電池モジュール１０２、１０４のコネクタ１０２ｂ、１０４ｂは、集電ケーブル２ａの分岐コネクタ２６と接続している。
同様にして、太陽電池アレイ１の右側端部に位置する太陽電池モジュール１７１、１７３のコネクタ１７１ｃ、１７３ｃは、集電ケーブル２ｂの分岐コネクタ３４と、また、太陽電池モジュール１７２、１７４のコネクタ１７２ｃ、１７４ｃは、集電ケーブル２ｂの分岐コネクタ３６と接続している。
【００３４】
以上のように、６つの直流回路を並列に結線するのに、集電ケーブル２ａ、２ｂであれば正・負極各３本必要なところ、集電ケーブル２ｃ、２ｄでは各２本で済むことから、接続箱の直流入力回路数を更に減らすことができる。その結果、システム全体の部品点数を更に減らして、コスト削減を図ることが出来ると共に、配線作業、接続箱への結線作業の負担を低減して、施工時の作業性を向上させることができる。
また、集電ケーブル２ｃ、２ｄを、集電ケーブル２ａ、２ｂと併用することにより、並列に結線する直流回路が奇数である場合にも対応することができる。
【図面の簡単な説明】
【００３５】
【図１】本発明の第一の実施の形態に係る太陽光発電システム全体の概略を示す図である。
【図２】本実施形態に係る集電ケーブルを簡略的に示す正面図である。
【図３】本実施形態において、太陽電池モジュールと集電ケーブルの電気的接続を示す結線図である。（ａ）は左側端部を、（ｂ）は右側端部を示す。
【図４】本実施形態において、太陽電池モジュールと集電ケーブルの電気的接続を示す結線図の部分拡大図である。（ａ）は左側端部を、（ｂ）は右側端部を示す。
【図５】本発明の第二の実施の形態に係る集電ケーブルを簡略的に示す正面図である。
【図６】本実施形態において、太陽電池モジュールと集電ケーブルの電気的接続を示す結線図の部分拡大図である。（ａ）は左側端部を、（ｂ）は右側端部を示す。
【符号の説明】
【００３６】
１・・・太陽電池アレイ、２・・・集電ケーブル、２ａ・・・正極用集電ケーブル、２ｂ・・・負極用集電ケーブル、２ｃ・・・正極用集電ケーブル、２ｄ・・・負極用集電ケーブル、２１・・・幹線ケーブル、２２・・・分岐部、２３・・・支線ケーブル、２４・・・分岐コネクタ、２５・・・支線ケーブル、２６・・・分岐コネクタ、３・・・接続箱、３１・・・幹線ケーブル、３２・・・分岐部、３３・・・支線ケーブル、３４・・・分岐コネクタ、３５・・・支線ケーブル、３６・・・分岐コネクタ、４・・・パワーコンディショナ、４１・・・幹線ケーブル、４２・・・分岐部、４３・・・支線ケーブル、４４・・・分岐コネクタ、４５・・・支線ケーブル、４６・・・分岐コネクタ、４７・・・支線ケーブル、４８・・・分岐コネクタ、５・・・分電盤、５１・・・幹線ケーブル、５２・・・分岐部、５３・・・支線ケーブル、５４・・・分岐コネクタ、５５・・・支線ケーブル、５６・・・分岐コネクタ、５７・・・支線ケーブル、５８・・・分岐コネクタ、６・・・配線、７・・・負荷、１０１〜１８０・・・太陽電池モジュール、１０１ａ〜１８０ａ・・・端子箱、１０１ｂ〜１８０ｂ・・・コネクタ、１０１ｃ〜１８０ｃ・・・コネクタ
【図１】
2008166492.tif 000003
【図２】
2008166492.tif 000004
【図３】
2008166492.tif 000005
【図４】
2008166492.tif 000006
【図５】
2008166492.tif 000007
【図６】
2008166492.tif 000008
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
所定数の太陽電池モジュールを一列に直列接続してなる太陽電池モジュール群を、各太陽電池モジュール群の一方の側端部に正極の出力端が導出されると共に、他方の側端部に負極の出力端が導出されるように複数隣り合わせに併設してなる太陽電池アレイにおいて、一端に入力コネクタが取り付けられた複数の支線ケーブルと、一端に出力コネクタが取り付けられ、他端において上記複数の支線ケーブルを集約する幹線ケーブルとからなると共に、当該支線ケーブルが、互いに、太陽電池モジュールの出力端間の距離に相当する長さが異なる集電ケーブルを複数用いて、上記複数の太陽電池モジュール群を電気的に並列接続するためのケーブルの引き回し構造であって、
第一の太陽電池モジュール群の一側端部から導出された正極側出力端と、当該第一の太陽電池モジュール群と隣り合う第二の太陽電池モジュール群の一側端部から導出された正極側出力端とを第一の集電ケーブルの入力コネクタと夫々接続し、
上記第一の太陽電池モジュール群の一側端部から導出された負極側出力端と、上記第二の太陽電池モジュール群の一側端部から導出された負極側出力端とを第二の集電ケーブルの入力コネクタと夫々接続し、
上記第一の集電ケーブル及び上記第二の集電ケーブルのそれぞれにおいて、上記太陽電池モジュールの出力端と接続した入力コネクタが取り付けられた支線ケーブルが上記幹線ケーブルに集約される、
ことを特徴とする集電ケーブルの引き回し構造。
【手続補正２】
【補正対象書類名】明細書
【補正対象項目名】０００９
【補正方法】変更
【補正の内容】
【０００９】
上記目的を達成するため、本発明に係る集電ケーブルの引き回し構造は、所定数の太陽電池モジュールを一列に直列接続してなる太陽電池モジュール群を、各太陽電池モジュール群の一方の側端部に正極の出力端が導出されると共に、他方の側端部に負極の出力端が導出されるように複数隣り合わせに併設してなる太陽電池アレイにおいて、一端に入力コネクタが取り付けられた複数の支線ケーブルと、一端に出力コネクタが取り付けられ、他端において上記複数の支線ケーブルを集約する幹線ケーブルとからなると共に、当該支線ケーブルが、互いに、太陽電池モジュールの出力端間の距離に相当する長さが異なる集電ケーブルを複数用いて、上記複数の太陽電池モジュール群を電気的に並列接続するためのケーブルの引き回し構造であって、第一の太陽電池モジュール群の一側端部から導出された正極側出力端と、当該第一の太陽電池モジュール群と隣り合う第二の太陽電池モジュール群の一側端部から導出された正極側出力端とを第一の集電ケーブルの入力コネクタと夫々接続し、上記第一の太陽電池モジュール群の一側端部から導出された負極側出力端と、上記第二の太陽電池モジュール群の一側端部から導出された負極側出力端とを第二の集電ケーブルの入力コネクタと夫々接続し、上記第一の集電ケーブル及び上記第二の集電ケーブルのそれぞれにおいて、上記太陽電池モジュールの出力端と接続した入力コネクタが取り付けられた支線ケーブルが上記幹線ケーブルに集約されることを特徴とする。
【手続補正３】
【補正対象書類名】明細書
【補正対象項目名】００１０
【補正方法】削除
【補正の内容】
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
所定数の太陽電池モジュールを一列に直列接続してなる太陽電池モジュール群を、各太陽電池モジュール群の一方の側端部に正極の出力端が導出されると共に、他方の側端部に負極の出力端が導出されるように複数隣り合わせに併設してなる太陽電池アレイにおいて、一端に入力コネクタが取り付けられた複数の支線ケーブルと、一端に出力コネクタが取り付けられ、他端の分岐部において上記複数の支線ケーブルを集約する幹線ケーブルとを有し、当該複数の支線ケーブルが、上記分岐部から夫々別個に延び出ると共に、互いに、太陽電池モジュールの出力端間の距離に相当する長さが異なる集電ケーブルを複数用いて、上記複数の太陽電池モジュール群を電気的に並列接続するためのケーブルの引き回し構造であって、
一の太陽電池モジュール群の一側端部から導出された正極側出力端と、当該一の太陽電池モジュール群と隣り合う太陽電池モジュール群の一側端部から導出された正極側出力端とを第一の集電ケーブルの入力コネクタと夫々接続し、
上記一の太陽電池モジュール群の一側端部から導出された負極側出力端と、上記一の太陽電池モジュール群と隣り合う太陽電池モジュール群の一側端部から導出された負極側出力端とを第二の集電ケーブルの入力コネクタと夫々接続し、
上記第一の集電ケーブル及び上記第二の集電ケーブルのそれぞれにおいて、上記太陽電池モジュールの出力端と接続した入力コネクタが取り付けられた支線ケーブルが上記分岐部を介して上記幹線ケーブルに集約される、
ことを特徴とする集電ケーブルの引き回し構造。
【手続補正２】
【補正対象書類名】明細書
【補正対象項目名】０００９
【補正方法】変更
【補正の内容】
【０００９】
上記目的を達成するため、本発明に係る集電ケーブルの引き回し構造は、所定数の太陽電池モジュールを一列に直列接続してなる太陽電池モジュール群を、各太陽電池モジュール群の一方の側端部に正極の出力端が導出されると共に、他方の側端部に負極の出力端が導出されるように複数隣り合わせに併設してなる太陽電池アレイにおいて、一端に入力コネクタが取り付けられた複数の支線ケーブルと、一端に出力コネクタが取り付けられ、他端の分岐部において上記複数の支線ケーブルを集約する幹線ケーブルとを有し、当該複数の支線ケーブルが、上記分岐部から夫々別個に延び出ると共に、互いに、太陽電池モジュールの出力端間の距離に相当する長さが異なる集電ケーブルを複数用いて、上記複数の太陽電池モジュール群を電気的に並列接続するためのケーブルの引き回し構造であって、一の太陽電池モジュール群の一側端部から導出された正極側出力端と、当該一の太陽電池モジュール群と隣り合う太陽電池モジュール群の一側端部から導出された正極側出力端とを第一の集電ケーブルの入力コネクタと夫々接続し、上記一の太陽電池モジュール群の一側端部から導出された負極側出力端と、上記一の太陽電池モジュール群と隣り合う太陽電池モジュール群の一側端部から導出された負極側出力端とを第二の集電ケーブルの入力コネクタと夫々接続し、上記第一の集電ケーブル及び上記第二の集電ケーブルのそれぞれにおいて、上記太陽電池モジュールの出力端と接続した入力コネクタが取り付けられた支線ケーブルが上記幹線ケーブルに集約されることを特徴とする。